(57)【要約】【課題】リモコンで間違った選択操作をしても誤操作を未然に防ぐこと。【解決手段】リモコン操作により複数の操作対象機器を選択操作するリモコン操作システムにおいて、リモコンまたは操作対象機器の少なくともいずれか一方に、操作対象機器の選択を確認する選択確認手段を設けたことを特徴とするもの。【選択図】        図１
2004328305.tif 000002
【特許請求の範囲】
【請求項１】
リモコン操作により複数の操作対象機器を選択操作するリモコン操作システムにおいて、
リモコンまたは操作対象機器の少なくともいずれか一方に、操作対象機器の選択を確認する選択確認手段を設けたことを特徴とするリモコン操作システム。
【請求項２】
前記選択確認手段は、機器選択時または機器選択後の最初のリモート操作時に選択確認動作を実行することを特徴とする請求項１記載のリモコン操作システム。
【請求項３】
前記選択確認手段として、操作対象機器に、リモコンの操作信号を受信してからの経過時間を監視する受信タイマと、確認結果を表示する確認表示部を設けたことを特徴とする請求項１または請求項２記載のリモコン操作システム。
【請求項４】
操作対象機器は、２次元表示器を有するペーパーレスレコーダであることを特徴とする請求項１から請求項３のいずれかに記載のリモコン操作システム。
【請求項５】
２次元表示器を確認表示部とすることを特徴とする請求項４に記載のリモコン操作システム。
【請求項６】
２次元表示器を確認表示部とすることを特徴とする請求項４に記載のリモコン操作システム。
【請求項７】
確認表示部として動作するときの２次元表示器の背景色をペーパーレスレコーダ毎に異ならせることを特徴とする請求項５に記載のリモコン操作システム。
【請求項８】
選択確認手段を選択的に駆動することを特徴とする請求項１から請求項６のいずれかに記載のリモコン操作システム。
【発明の詳細な説明】
【０００１】
【発明の属する技術分野】
本発明は、リモコン操作システムに関し、詳しくは、リモコンによる誤操作防止に関するものである。
【従来の技術】
【０００２】
記録計やフィールドコントローラは、通常、工場などの監視盤に複数組み込まれている。最近では、これらの機器にも赤外線などの空間伝送信号によるリモコン操作機能が搭載され、作業員が監視盤に直接足を運ぶことなく、監視盤から離れた場所からでも操作できるようになっている。また、リモコン操作機能のメリットとしては、操作対象機器から離れた場所からの操作対象機器に対するリモート操作制御や、操作対象機器本体では入力不可能な文字が入力できることもあげられる。
【０００３】
このようなリモコン操作機能の実現にあたっては、例えば操作対象機器がすべて同一メーカーの同シリーズに属する複数の機器群の場合には、機器のそれぞれにリモコンを個別に用意する方法と、各機器に共通する１台のリモコンで操作対象機器を選択して操作する方法が考えられる。
【０００４】
ここで、前者の場合は、リモコン操作にあたって、操作対象機器毎に割り当てられている所定のリモコンを使い分けなくてはならず、操作対象機器が多くなるとリモコン操作のみならずリモコン管理も含めて煩雑になる。これに対し、後者の方法は、リモコン１台で複数の操作対象機器を選択操作できるので、リモコン管理が不要になるというメリットがある。
【０００５】
図２は従来のリモコン操作システムの一例を示す概念図であり、同一機種である複数ｎ台のペーパーレスレコーダ１１〜１ｎを操作対象機器として、１台のリモコン２で操作する概念図である。リモコン２は、視野角内にあるレコーダ１１〜１ｎを、個別または一括制御するように構成されている。ここで、ペーパーレスレコーダとは２次元表示器を有するものであり、２次元表示器を記録紙に見立てて、測定信号のトレンドや測定データのリスト表示などを行うように構成されている。
【０００６】
図３は従来のリモコン操作システムにおけるリモコン信号処理に着目したブロック図であり、図２と共通する部分には同一の符号を付けている。ペーパーレスレコーダ１の受信処理部１１は、リモコン２の操作部２１の操作に基づいて出力部２２から出力される設定制御要求を受信すると、直ちにそのまま設定処理部１２に送出する。
【０００７】
ところで、上述のいずれの場合も、リモコンの選択を誤ったり操作対象機器選択を誤ると、意図しなかった機器を操作してしまうおそれがある。例えば複数の記録計を操作対象機器とする場合において、３号機の記録計を選択起動させて記録をスタートさせようとしながら間違えて２号機を選択起動して記録をスタートさせてしまう可能性がある。
【０００８】
実際に操作をしたい操作対象機器が操作者の視界にあるにもかかわらず、その操作対象機器をリモコンで操作する際に選択を誤ってしまうことがある。
【０００９】
また、操作者が操作対象機器から多少離れているために操作対象機器の操作盤面が十分に見えず、機器選択を誤ったことに気づかない危険性も出てくる。
【００１０】
これらは、リモコン側に選択操作しようとする操作対象機器を確認する機能がないことや、操作者から離れた場所にある操作対象機器にも操作対象として選択されようとしていることを確認する機能がないために起こる問題である。
【００１１】
すなわち、図３に示すような従来の構成では、操作対象機器１の受信処理部１１がリモコン２からの設定制御要求をそのまま受け付けているために、これらの問題が発生するおそれがある。
【００１２】
【特許文献１】
特開平４−３５６８９１
【００１３】
特許文献１には、複数台の同一測定機器に対して１台のリモコンにより遠隔制御することが開示されている。
【００１４】
しかし、特許文献１は、本発明のように、リモコンによる選択操作を実行する前にリモコンによる選択操作を確認することは示唆していない。
【００１５】
【発明が解決しようとする課題】
本発明はこれらの問題点を解決するものであり、その目的は、リモコンで間違った選択操作をしても操作対象機器の誤操作を未然に防ぐことにある。
【００１６】
【課題を解決するための手段】
このような目的を達成する請求項１の発明は、
リモコン操作により複数の操作対象機器を選択操作するリモコン操作システムにおいて、
リモコンまたは操作対象機器の少なくともいずれか一方に、操作対象機器の選択を確認する選択確認手段を設けたことを特徴とする。
【００１７】
請求項２の発明は、請求項１記載のリモコン操作システムにおいて、
前記選択確認手段は、機器選択時または機器選択後の最初のリモート操作時に選択確認動作を実行することを特徴とする。
【００１８】
請求項３の発明は、請求項１または請求項２記載のリモコン操作システムにおいて、
前記選択確認手段として、操作対象機器に、リモコンの操作信号を受信してからの経過時間を監視する受信タイマと、確認結果を表示する確認表示部を設けたことを特徴とする。
【００１９】
請求項４の発明は、請求項１から請求項３のいずれかに記載のリモコン操作システムにおいて、
操作対象機器は、２次元表示器を有するペーパーレスレコーダであることを特徴とする。
【００２０】
請求項５の発明は、請求項４に記載のリモコン操作システムにおいて、
２次元表示器を確認表示部とすることを特徴とする。
【００２１】
請求項６の発明は、請求項５に記載のリモコン操作システムにおいて、
確認表示部として動作するときの２次元表示器の背景色をペーパーレスレコーダ毎に異ならせることを特徴とする。
【００２２】
請求項７の発明は、請求項１から請求項６のいずれかに記載のリモコン操作システムにおいて、
選択確認手段を選択的に駆動することを特徴とする。
【００２３】
これらにより、リモコンで間違った選択した場合における操作対象機器の誤操作を、未然に防ぐことができる。
【００２４】
【発明の実施の形態】
図１は本発明の実施の形態例を示す概念構成図であり、図３と共通する部分には同一の符号を付けている。図１のペーパーレスレコーダ１は、図３のペーパーレスレコーダ１の構成に、受信タイマ１３と確認表示部１４が追加されたものである。
【００２５】
図１において、操作対象機器１の選択は、通常初めてリモコン２を操作したり、ある操作対象機器１から新たな操作対象機器１へ操作を切り替える場合に行われる。リモコン２で操作者が意図していた所定の操作対象機器１が一度選択されると、その後はその操作対象機器１が連続的に操作される。
【００２６】
受信タイマ１３は、当該操作対象機器１が前回リモコン２から操作指令を受けてからの経過時間を計数し、所定の時間を経過しているかどうかを監視する機能を備えている。
【００２７】
受信処理部１１は、リモコン２からの操作指令を受信するとまず受信タイマ１３を参照し、前回の操作指令受付からの経過時間が所定の値を超えているかどうかを判断する。超えていなければそのまま設定処理部１２へその要求を伝えて受信タイマ１３をリセットする。超えている場合は操作対象機器１の選択が前もってなされたものと判断し、画面に「この機器が選択されています。実行しますか？（Ｙ／Ｎ）」のような操作者に例えばリモコン２からの確認操作を求める確認メッセージを表示する。
【００２８】
所定時間内にＹＥＳに相当する信号をリモコン２から受信すると、この操作指令を設定処理部１２へ通知し、受信タイマ１３をリセットする。所定時間内に応答がなければ、この操作指令は間違って操作対象機器１に要求されたものとして、受信した操作指令を破棄する。
【００２９】
これら一連の機能は操作対象機器１が複数存在する場合に効果を発揮するが、操作対象機器１が１台しかない場合は操作の都度確認を求められことから却って煩雑となる。そこで、操作対象機器１には予めオプションとしてリモコン操作時の確認の有無を選択できるようにしておき、確認ありを選択した場合のみに上記の機能を動作させるようにする。
【００３０】
また、操作対象機器１が２次元表示器を有するペーパーレスレコーダの場合には、２次元表示器を確認表示部１４として確認メッセージを２次元表示器の画面一杯に大きく表示させることにより、遠方からでも容易に視認できるようにすることができる。
【００３１】
そして、この場合、確認表示部１４として動作するときの２次元表示器の背景色をペーパーレスレコーダ毎に異ならせることにより、複数のペーパーレスレコーダを配列して用いる場合に、どのペーパーレスレコーダを選択しているのかを遠方からでも容易に視認できる。例えばグループ１の測定点を記録表示するペーパーレスレコーダの背景色を赤に割り付けた場合、グループ１の記録表示を開始するときには操作者は赤のマーカーのあるペーパーレスレコーダが選択されることを期待する。なおマーカーはペーパーレスレコーダが設置されている盤面にその色で示しても良い。このとき遠方のペーパーレスレコーダが赤の背景色で確認できれば、リモコン２で正しい選択がなされたことがわかる。
【００３２】
なお、上記実施例では操作対象機器１がペーパーレスレコーダの例について説明したが、その他のリモコンで操作制御されるものであって選択確認手段を有するものであれば本発明を適用できる。
【００３３】
また、リモコンは、赤外線に限るものではなく、電波や音波などのワイヤレスや、例えばＳＣＡＤＡ（Ｓｕｐｅｒｖｉｓｏｒｙ  Ｃｏｎｔｒｏｌ  ａｎｄ  Ｄａｔａ  Ａｃｑｕｉｓｉｔｉｏｎ）などの有線ネットワーク通信手段を使ったものであってもよい。
【００３４】
【発明の効果】
以上説明したように、本発明によれば、リモコンで間違った選択をしても、操作対象機器に機器選択の確認を求めるようにしているので、複数の操作対象機器をリモコンで操作制御する場合の誤操作を未然に防ぐことができ、各種のリモコン操作システムとして好適である。
【図面の簡単な説明】
【図１】本発明の実施の形態例を示す概念構成図である。
【図２】従来のリモコン操作システムの一例を示す概念図である。
【図３】従来のリモコン操作システムにおけるリモコン信号処理に着目したブロック図である。
【符号の説明】
１  操作対象機器
２  リモコン
１１  受信処理部
１２  設定処理部
１３  受信タイマ
２１  操作部
２２  出力部
【図１】
2004328305.tif 000003
【図２】
2004328305.tif 000004
【図３】
2004328305.tif 000005